(57)【要約】【課題】所定の飛距離が得られるとともに、ゴルフボール打撃時の打撃音、打撃時の響き、および打撃時に手に伝わる衝撃等の打撃感覚が優れたゴルフクラブヘッドおよびゴルフクラブを提供する。【解決手段】ゴルフクラブ１０はゴルフボールを打撃するフェース部２４と、このフェース部２４と一体に設けられたコア部材２２とを有するゴルフクラブヘッド２０を有する。このコア部材２２は、その打撃方向と直交する方向および打撃方向に沿った方向に溝２８、２９が形成されており、これらの溝２８、２９に緊張材３０、３２が設けられている。このコア部材２２の打撃方向と直交する方向および打撃方向に沿った方向の周長を楔５０、５２により長くして緊張材３０、３２からコア部材２２に圧縮応力が加えられる。また、コア部材２２は、ゴルフクラブシャフト４０が取り付けられるホーゼル部２６が設けられている。【選択図】図１
2005006818.tif 000002
【特許請求の範囲】
【請求項１】
フェース部によりゴルフボールを打撃するゴルフクラブヘッドであって、
少なくとも１つの緊張材により圧縮応力が加えられたコア部材を有し、
前記コア部材には、前記フェース部と、ゴルフクラブシャフトが取り付けられるホーゼル部とが設けられていることを特徴とするゴルフクラブヘッド。
【請求項２】
前記コア部材は、さらに前記フェース部となる別体のフェース部材を有する請求項１に記載のゴルフクラブヘッド。
【請求項３】
さらに、前記コア部材には、ゴルフクラブヘッドの底部となるソール部材が別体に設けられ、前記フェース部材および前記ソール部材の少なくとも一方は、前記コア部材と組成が異なる請求項２に記載のゴルフクラブヘッド。
【請求項４】
前記ソール部材は、前記フェース部材と組成が異なる請求項３に記載のゴルフクラブヘッド。
【請求項５】
前記コア部材は、前記フェース部材および前記ソール部材と密着している請求項３または４に記載のゴルフクラブヘッド。
【請求項６】
前記コア部材は、前記フェース部材と間隔を設けて配置されており、前記間隔は、前記ゴルフボールの打撃による前記フェース部材の変形量よりも大きい請求項２乃至５のいずれか１項に記載のゴルフクラブヘッド。
【請求項７】
前記コア部材には、前記コア部材の外周に沿って、少なくとも１条の前記緊張材が設けられており、前記緊張材が設けられた外周に沿って前記コア部材の周長を長くするように前記コア部材を拡張することで前記圧縮応力が付与されている請求項１乃至６のいずれか１項に記載のゴルフクラブヘッド。
【請求項８】
前記コア部材は、その表面に前記緊張材が設けられる溝が形成されている請求項１乃至７のいずれか１項に記載のゴルフクラブヘッド。
【請求項９】
前記緊張材は、その形態が環状である請求項１乃至８のいずれか１項に記載のゴルフクラブヘッド。
【請求項１０】
前記圧縮応力は、０．１乃至３ＭＰａである請求項１乃至９のいずれか１項に記載のゴルフクラブヘッド。
【請求項１１】
前記コア部材は、金属、合金、繊維強化複合材、または木材により形成される請求項１乃至１０のいずれか１項に記載のゴルフクラブヘッド。
【請求項１２】
前記コア部材は、中空体である請求項１乃至１１のいずれか１項に記載のゴルフクラブヘッド。
【請求項１３】
前記緊張材は、アラミド繊維、アラミド繊維強化プラスチック、金属または合金により形成される請求項１乃至１２のいずれか１項に記載のゴルフクラブヘッド。
【請求項１４】
請求項１乃至１３のいずれか１項に記載のゴルフクラブヘッドを有することを特徴とするゴルフクラブ。
【発明の詳細な説明】
【０００１】
【発明の属する技術分野】
本発明は、緊張材により圧縮応力が加えらたコア部材がフェース部と一体または別体に設けられたゴルフクラブヘッドおよびゴルフクラブに関し、特に、所定の飛距離が得られるとともに、ゴルフボール打撃時の打撃音、打撃時の響き、および打撃時に手に伝わる衝撃等の打撃感覚が優れたゴルフクラブヘッドおよびゴルフクラブに関する。
【０００２】
【従来の技術】
従来、１９８０年代までは、ウッドタイプのゴルフクラブヘッドは、木質材料を主体としたものであり、ゴルフクラブヘッドのフェース部またはソール部だけに打撃に強い材料製の部材、または摩耗に強い金属製の部材が取り付けられていた。
その後、ＦＲＰ（Ｆｉｂｅｒ  Ｒｅｉｎｆｏｒｃｅｄ  Ｐｌａｓｔｉｃｓ  ）等の繊維強化複合材料により構成されたゴルフクラブヘッドが打ちやすさを標榜して出現したが、１９９０年代中頃からは飛距離向上を狙いとするチタン合金を主に用いたオールメタル中空シェル構造のゴルフクラブヘッド、いわゆるメタルウッドが主流となってきている。
【０００３】
しかしながら、上記メタルウッドは、飛距離を伸ばすことはできるものの、打ちやすさを犠牲にしている。さらに、メタルウッドは、合金により形成されているため、ゴルフボール打撃時の響きがゴルファにとって優しくなく、また打撃時に手に伝わる衝撃もゴルファに優しくない。
また、昨今ゴルフ規則が改定され、ゴルフボールと、ゴルフクラブとの間の反発係数が制限されており、飛距離の向上だけが目的ではないゴルフクラブが求められている。
なお、前述のＦＲＰを用いたゴルフクラブヘッドは、ゴルフボール打撃時の打撃音、打撃時の響き、および打撃時に手に伝わる衝撃等の打撃感覚が、現在好まれているものではない。
【０００４】
【発明が解決しようとする課題】
本発明は、所定の飛距離が得られるとともに、ゴルフボール打撃時の打撃音、打撃時の響き、および打撃時に手に伝わる衝撃等の打撃感覚が優れたゴルフクラブヘッドおよびゴルフクラブを提供することを目的とする。
【０００５】
【課題を解決するための手段】
前記課題を解決するために、本発明の第１の態様は、フェース部によりゴルフボールを打撃するゴルフクラブヘッドであって、少なくとも１つの緊張材により圧縮応力が加えられたコア部材を有し、前記コア部材には、前記フェース部と、ゴルフクラブシャフトが取り付けられるホーゼル部とが設けられていることを特徴とするゴルフクラブヘッドを提供するものである。
【０００６】
本発明において、前記コア部材は、さらに前記フェース部となる別体のフェース部材を有することが好ましい。
【０００７】
さらに、前記コア部材には、ゴルフクラブヘッドの底部となるソール部材が別体に設けられ、前記フェース部材および前記ソール部材の少なくとも一方は、前記コア部材と組成が異なることが好ましい。
この場合、前記ソール部材は、前記フェース部材と組成が異なることが好ましい。
【０００８】
また、前記コア部材は、前記フェース部材および前記ソール部材と密着していることが好ましい。
さらに、前記コア部材は、前記フェース部材と間隔を設けて配置されており、前記間隔は、前記ゴルフボールの打撃による前記フェース部材の変形量よりも大きいことが好ましい。
【０００９】
また、本発明において、前記コア部材には、前記コア部材の外周に沿って、少なくとも１条の前記緊張材が設けられており、前記緊張材が設けられた外周に沿って前記コア部材の周長を長くするように前記コア部材を拡張することで前記圧縮応力が付与されていることが好ましい。
さらに、本発明において、前記コア部材は、その表面に前記緊張材が設けられる溝が形成されていることが好ましい。
【００１０】
また、前記緊張材は、その形態が環状であることが好ましい。
また、前記圧縮応力は、０．１乃至３ＭＰａであることが好ましい。
また、本発明において、前記コア部材は、例えば、金属、合金、繊維強化複合材、または木材により形成される。
さらに、本発明において、前記コア部材は、中空体とすることもできる。
【００１１】
また、本発明において、前記緊張材は、例えば、アラミド繊維、アラミド繊維強化プラスチック、金属または合金により形成される。
【００１２】
また、本発明の第２の態様は、上記本発明の第１の態様のゴルフクラブヘッドを有することを特徴とするゴルフクラブを提供するものである。
【００１３】
【発明の実施の形態】
本発明は、後述する知見に基づいてなされたものであり、以下、本発明の実施例に係るゴルフクラブヘッドおよびゴルフクラブについて、添付の図面を基に詳細に説明する。
上述の如く、従来のＦＲＰで構成されたゴルフクラブヘッドは、ゴルフボール打撃時の打撃音、打撃時の響き、および打撃時に手に伝わる衝撃等の打撃感覚が、現在好まれているものではない。
本願発明者等は、このＦＲＰを用いたゴルフクラブヘッドに所定の圧縮応力を付与することにより、打撃音を高くすることができ、さらに打撃時の響きも冴えたものにすることができることを見出した。この場合、打撃音は、メタルウッドに近いものであり、また打撃時の冴えた響きも打撃の応答として、現状のゴルファにとって好ましいものである。更には打撃時のゴルファの手に伝わる衝撃は、木質系のものに近く、その衝撃も爽快なものであり、現状のゴルファにとって好ましいものである。加えて、本願発明者等は、このように圧縮応力を付与したＦＰＲのゴルフクラブヘッドを用いると、得られる打球の弾道が力強いものになることも知見した。
【００１４】
なお、本願発明者等は、ＦＲＰ以外の組成のゴルフクラブヘッドについても、鋭意検討した結果、所定の圧縮応力を付与することにより、ＦＲＰのゴルフクラブヘッドと同様の効果が得られることも知見している。
【００１５】
図１は本発明の第１の実施例に係るゴルフクラブの構造を示す模式的平面図であり、図２は図１に示すゴルフクラブヘッドの構造を示す側面図である。図１および図２においては、ゴルフクラブ１０に設けられた溝２８、２９を誇張して表現している。
図１に示すように、ゴルフクラブ１０は、ゴルフクラブヘッド２０と、ゴルフクラブシャフト４０とを有する。このゴルフクラブヘッド２０は、コア部材２２と、フェース部材２４とを有する。本実施例のゴルフクラブヘッド２０は、ドライバー等のウッド系のゴルフクラブヘッドである。
【００１６】
コア部材２２は、涙滴形状を呈しており、一般的なウッド系のドライバーと略相似形である。このコア部材２２は、外周に沿って設けられた緊張材３０、３２により圧縮応力が付与されるものであり、かつゴルフクラブシャフト４０が取り付けられるものである。
本実施例においては、例えば、コア部材２２の打撃方向に沿った方向（以下、経度方向という）の全周に亘り溝２８が、例えば、５本、それぞれ環状に形成されている。各溝２８には、環状帯の緊張材３０が設けられている。コア部材２２の上面２２ａに設けられた拡張溝５４に楔５０が圧入されることにより、コア部材２２の経度方向における周長が長くなり、緊張材３０に引張ひずみが生じ、緊張材３０に緊張力（張力）が作用して、これらの緊張材３０がコア部材２２を締め付けるようになるので、コア部材２２に圧縮応力が付与される。
【００１７】
また、例えば、コア部材２２の打撃方向と直交する方向（以下、緯度方向という）の全周に亘り溝２９が、例えば、３本、それぞれ環状に形成されている。各溝２９には、環状帯の緊張材３２が設けられている。これらの緊張材３２は、コア部材２２の側部に設けられた拡張溝５６に楔５２が圧入されることにより、コア部材２２の緯度方向における周長が長くなり、緊張材３２に引張ひずみが生じ、緊張材３２に緊張力（張力）が作用して、これらの緊張材３２がコア部材２２を締め付けるようになるので、コア部材２２をコア部材２２に設けた拡張溝５４、５６に圧入することにより、コア部材２２に圧縮応力が付与される。
【００１８】
次に、コア部材２２に付与された圧縮応力の測定方法について説明する。コア部材２２に付与される圧縮応力は、ひずみゲージ等により緊張材３０、３２のひずみを測定し、緊張材の剛性と緊張材３０、３２のひずみとの積により緊張力（張力）を算出し、この緊張力を緊張材３０、３２によるコア部材２２に対する圧縮断面積で除することにより求めることができる。
これ以外にもコア部材２２に付与された圧縮応力は、コア部材２２に所定の圧縮応力を付与した場合の音程を測定し、その音程を基準音程とし、基準音程と、圧縮応力が付与されたコア部材の音程とを比較することにより、所定の圧縮応力が付与されているか否かを判定することもできる。
【００１９】
次に、本実施例における緊張材３０、３２によるコア部材２２に対する圧縮応力の調整方法について説明する。本実施例において、圧縮応力は、緊張材の緊張力（張力）の大小で調整することができる。本実施例においては、剛性が分かっている所定の緊張材に、所定の引張ひずみを導入して所定の緊張力を発生させる。緊張力を調整するには、コア部材の外周を拡張するために、圧入する楔の大きさを変える等して、拡張溝の拡張の程度、すなわち、コア部材の外周の拡張の程度を変えることにより調整する。なお、この調整方法は、緊張力の微調整に特に有効である。さらに、圧縮応力を大きく変えたい場合には、緊張材の組成または断面積を変える等して、緊張材の剛性を変えて圧縮応力を調整する。
【００２０】
なお、本実施例においては、コア部材２２に対して、緯度方向および経度方向、すなわち、コア部材２２の外周に沿って緊張材３０、３２を設けて、拡張溝５４、５６に楔５０、５２を圧入してコア部材２２の外周を拡張することにより、圧縮応力を付与するものとしたが、本発明は、これに限定されるものではない。本実施例においては、少なくとも緯度方向および経度方向のいずれか一方から圧縮応力を付与すればよく。また、緊張材の数、および緊張材の形態についても、適宜変更することができ、緊張材は、少なくとも１条設けられていればよい。
【００２１】
また、コア部材２２には、ゴルフクラブシャフト４０が取り付けられる挿通孔２７を有するホーゼル部２６を有する。
【００２２】
フェース部材２４は、コア部材２２の前面Ｆに直接取り付けられるものである。このフェース部材２４によりゴルフボールが打撃される。フェース部材２４は、例えば、チタン合金により形成されるものである。
ゴルフクラブシャフト４０は、中空円筒であり、例えば、金属、合金、または繊維強化複合材料からなるものである。
【００２３】
なお、本実施例においては、コア部材に対する緊張材による圧縮応力は、０．１乃至３ＭＰａであることが好ましい。圧縮応力を０．１乃至３ＭＰａにすることにより、適度な圧縮応力により、ゴルフボール打撃時の打撃音、打撃時の響き、および打撃時に手に伝わる衝撃等の打撃感覚が更に改善されるからである。
【００２４】
また、コア部材に圧縮応力を付与するために、緊張材により、コア部材には、最低でも２．９４ｋＮ以上の力をかけることが好ましい。コア部材に２．９４ｋＮ以上の力を付与することにより、上述の打撃感覚が更に改善されるからである。一方、コア部材２２に緊張材により付与される力は、コア部材の圧縮強度の１／３以下となるようにすることが好ましい。コア部材の圧縮強度の１／３以下の力がコア部材に付与されると、コア部材を適度な圧縮状態に保持することができるからである。
【００２５】
本実施例のゴルフクラブ１０においては、コア部材２２に対して緊張材３０、３２を巻き回し、拡張溝５４、５６に楔５０、５２を圧入することにより、コア部材２２の外周を拡張して、緊張材３０、３２に緊張力を発生させて緯度方向および経度方向から圧縮応力を付与することにより、ゴルフボールを打撃した場合、打撃時の音が金属音に近いものとなり、その打撃時の手に伝わる衝撃を木質系に近いものとすることができる。このゴルフクラブ１０により得られるゴルフボール打撃時の打撃音、打撃時の響き、および打撃時に手に伝わる衝撃等の打撃感覚は、ゴルファにとって好ましいものである。また、必要に応じて上述の如く、圧縮応力を調整することにより、更に好ましい打撃感覚が得られるゴルフクラブ１０を得ることができる。
なお、本実施例のゴルフクラブ１０においては、特に打撃時に発生する打撃音について、著しく改善できる。また、本実施例のゴルフクラブヘッド２０単体であっても、同様の効果が得られることは、言うまでもない。
【００２６】
また、本実施例においては、コア部材２２は、構造材料により形成されるものであれば、特に限定されるものではない。コア部材２２は、例えば、金属、合金、繊維強化複合材、または木材等により形成されるものが例示され、ＦＲＰにより形成されるものが最も好ましい。なお、本実施例においては、木材は、種々の処理が施されたものも含まれ、例えば、樹脂を含浸させたもの、または高圧で加工したものも含まれる。
【００２７】
本実施例の緊張材３０、３２は、環状であれば、特に限定されるものではなく、環状線、環状帯、または定着部材付ベルト等が例示される。この定着部材付ベルトとは、ベルトの端部にフックまたはボルトナット等のアンカー部材が設けられたベルトのことである。これ以外にも、定着部材付ベルトとしては、ベルトの端部を包みこんで抜けないようにした構造のものも例示される。なお、定着部材付ベルトは、装着の簡便さが長所であるものの、緊張力の割りに自身の体積が大きくなるため、副次的に利用することが望ましい。
【００２８】
また、本実施例の緊張材３０、３２は、構造材料により形成されるものであれば、特に限定されるものではない。緊張材３０、３２は、例えば、アラミド繊維、アラミド繊維強化プラスチック、金属または合金等により形成されるものが例示される。なお、緊張材３０、３２は、圧縮応力の経時的な変化を抑制するために、比較的伸びが大きいアラミド繊維により形成されることが好ましい。
【００２９】
また、コア部材に圧縮応力を付与する方法は、特に限定されものではなく、コア部材に貫通孔を形成し、この貫通孔に緊張材を挿通して、両端をかしめてもよい。これ以外にも、定着部材付ベルトを緊張材として用い、その両端を係合して締め付けるようにしてもよい。
【００３０】
また、本実施例においては、溝２８、２９に緊張材３０、３２を設けて、楔５０、５２を圧入した後、溝２８、２９を樹脂等で埋め、コア部材２２の表面を平滑にしてもよい。さらに、楔５０、５２の形状、および拡張溝５４、５６の位置は、特に限定されるものではない。
さらにまた、コア部材２２の底部に、例えば、磨耗に強い金属または合金により形成されるソール部材を設けてもよい。この場合、ソール部材は、フェース部材と一体に成形してもよく、さらに組成も同じであっても、また、異なる組成であってもよい。さらには、ソール部材、およびフェース部材のうち、少なくとも一方は、コア部材２２の組成と異なってもよい。
また、本実施例においては、フェース部材２４を設けたが、本発明は、これに限定されるものではなく、溝２８、２９を埋めてコア部材２２の前面Ｆを平らにして、この前面Ｆをフェース面としてもよい。この場合においても、本実施例と同様の効果を得ることができる。
【００３１】
以下、本実施例の変形例について図３に基づいて説明する。図３は本発明の第１の実施例に係るゴルフクラブのコア部材の変形例を示す模式的断面図である。
本変形例においては、第１の実施例と比較して、コア部材２３が中空体であり、第１のテーパ部２３ａと、平坦部２３ｂと、第２のテーパ部２３ｃとを有するものである点が異なり、それ以外の構成は、第１の実施例のコア部材２２と同様であるので、その詳細な説明は省略する。
図３に示すように、本変形例においては、コア部材２３の平坦部２３ｂに環状帯の緊張材３４を圧入することにより、圧縮応力を付与する。本変形例のコア部材２３のように、中空体であっても、第１の実施例と同様の効果を得ることができる。また、コア部材２３および緊張材３４は、第１の実施例のコア部材および緊張材と同様であることは言うまでもない。
【００３２】
次に、本発明の第２の実施例について説明する。
図４は本発明の第２の実施例の係るゴルフクラブを示す側面図であり、図５は本発明の第２の実施例に係るゴルフクラブを示す模式的断面図である。なお、本実施例においては、図１および図２に示す本発明の第１の実施例のゴルフクラブと同様の構成物には、同一符号を付してその詳細な説明は省略する。
本実施例のゴルフクラブ１１は、第１の実施例のゴルフクラブ１０と比して、ゴルフクラブヘッド２１のコア部材６０の形状、緊張材３６を設ける位置、フェース部材７２とソール部材７４とが一体的に下部部材７０で形成されている点、およびフェース部材７２がコア部材６０の前面ｆと隙間８０を設けて配置されており、フェース部材７２が支持部７６を介してコア部材６０に接続されている点が異なり、それ以外の構成は、第１の実施例のゴルフクラブ１０の構成と同様であるので、その詳細な説明は省略する。
【００３３】
本実施例においても、コア部材６０は、ゴルフクラブヘッド２１と略相似形であり、略涙滴形状を呈している。このコア部材６０は、経度方向に全周に亘り溝６２が設けられており、この溝６２に緊張材３６が設けられている。コア部材６０の側面６４に設けられた溝５９に楔５８が圧入されることにより、コア部材６０の経度方向の周長が長くなり、緊張材３６に引張ひずみが生じ、緊張材３６に緊張力（張力）が作用して、コア部材６０に圧縮応力が付与される。本実施例においても、第１の実施例と同様の効果を得ることができる。なお、本実施例の下部部材７０は、側壁も兼ねる。さらに、支持部７６は、フェース部材７２の打撃の衝撃が伝わる構成であることが好ましい。
【００３４】
また、本実施例においては、コア部材６０の前面ｆに対してフェース部材７２を隙間８０（隙間）を設けているが、この隙間８０は、ゴルフボールの打撃によるフェース部材７２の変形量よりも大きい。また、支持部７６の剛性は、例えば、薄肉部を設けるか、または支持部７６の一部を弾性率が低い材料に置き換えることにより、調整できる。これにより、打球のスピン量の調整等、ゴルフクラブ１１の飛距離等の打撃性能の関しても幅広い設計が可能となる。
【００３５】
このように、本実施例においては、飛距離等の打撃性能を維持しつつ、打撃音、打撃時の響き、および打撃時に手に伝わる衝撃等の打撃感覚が優れたゴルフクラブを得ることができる。
また、本実施例における圧縮応力の範囲も０．１乃至３ＭＰａであることが好ましい。なお、本実施例においても、楔５８の形状および楔５８を設ける位置は、コア部材６０に圧縮応力が付与できれば、特に限定されるものではない。
【００３６】
【発明の効果】
以上、詳細に説明したように、本発明のゴルフクラブヘッドによれば、フェース部と一体または別体にして、ゴルフクラブシャフトが取り付けられるコア部材に、少なくとも１つの緊張材により圧縮応力が加えることにより、ゴルフボール打撃時の打撃音、打撃時の響き、および打撃時に手に伝わる衝撃等の打撃感覚が優れたものとすることができる。
【００３７】
また、本発明のゴルフクラブによれば、フェース部と一体または別体にして、ゴルフクラブシャフトが取り付けられたコア部材に、少なくとも１つの緊張材により圧縮応力が加えることにより、ゴルフボール打撃時の打撃音、打撃時の響き、および打撃時に手に伝わる衝撃等の打撃感覚が優れたものとすることができる。
【図面の簡単な説明】
【図１】本発明の第１の実施例に係るゴルフクラブの構造を示す模式的平面図である。
【図２】図１に示すゴルフクラブヘッドの構造を示す側面図である。
【図３】本発明の第１の実施例に係るゴルフクラブのコア部材の変形例を示す模式的断面図である。
【図４】本発明の第２の実施例の係るゴルフクラブを示す側面図である。
【図５】本発明の第２の実施例に係るゴルフクラブを示す模式的断面図である。
【符号の説明】
１０、１１  ゴルフクラブ
２０、２１  ゴルフクラブヘッド
２２、２３、６０  コア部材
２４、７２  フェース部材
２６  ホーゼル部
２７  挿通孔
２８、２９、６２  溝
３０、３２、３４、３６  緊張材
４０  ゴルフクラブシャフト
５０、５２、５８  楔
５４、５６、５９  拡張溝
７４  ソール部材
７６  支持部
８０  隙間
ｆ、Ｆ  前面
【図１】
2005006818.tif 000003
【図２】
2005006818.tif 000004
【図３】
2005006818.tif 000005
【図４】
2005006818.tif 000006
【図５】
2005006818.tif 000007